(57)【特許請求の範囲】
【請求項１】
液体を噴射するノズルを有する液体噴射機構と、
前記ノズルからの前記液体の吸引により前記液体噴射機構から前記液体を排出する液体吸引機構と、
前記液体噴射機構と接続され、前記液体の供給源側となる上流側から下流側の前記液体噴射機構に前記液体を供給する第１の液体流路と、
両端が前記第１の液体流路に接続され、前記第１の液体流路との間で前記液体が循環する循環流路を形成する第２の液体流路と、
前記第２の液体流路に設けられ、動作することによって前記液体を前記循環流路内において流動させる循環ポンプと、
を備えた液体噴射装置において、前記第１の液体流路内を洗浄液で洗い流す液体噴射装置のメンテナンス方法であって、
前記第１の液体流路に供給される前記供給源の前記液体が前記洗浄液に切り換えられた状態で、切り換えられた前記洗浄液を、前記液体吸引機構による吸引により前記液体を排出させることによって前記第１の液体流路に流入させ、前記循環流路内の前記液体の少なくとも一部を前記洗浄液に置換させる工程と、
前記循環流路内において置換された前記洗浄液を、前記循環ポンプの動作によって前記液体とともに前記循環流路内で循環させて前記液体と混合する混合工程と、
前記循環によって前記洗浄液と前記液体とが混合された混合液を、前記液体吸引機構によって前記ノズルから吸引して前記液体噴射機構から排出する排出工程と、
を備えたことを特徴とする液体噴射装置のメンテナンス方法。
【請求項２】
請求項１に記載の液体噴射装置のメンテナンス方法において、
前記循環によって前記洗浄液と前記液体とが混合された混合液を、前記液体吸引機構によって前記ノズルから吸引して前記液体噴射機構から排出した後、
前記第１の液体流路に供給される前記供給源の前記洗浄液が前記液体に切り換えられた状態で、前記液体吸引機構による吸引により前記液体を前記第１の液体流路に流入させ、該液体を前記循環ポンプの動作によって前記循環流路内の前記混合液と混合することを特徴とする液体噴射装置のメンテナンス方法。
【請求項３】
請求項１に記載の液体噴射装置のメンテナンス方法において、
前記液体噴射機構は往復移動可能に保持されており、
前記混合工程の後、前記液体噴射機構を往復移動させることを特徴とする液体噴射装置のメンテナンス方法。
【請求項４】
請求項１ないし３のいずれか一項に記載の液体噴射装置のメンテナンス方法において、
前記循環ポンプは、前記液体噴射機構に前記液体を供給する際に前記第１の液体流路を流れる前記液体の流れ方向とは反対方向に、前記洗浄液を前記液体とともに前記循環流路内において流動させるように動作することを特徴とする液体噴射装置のメンテナンス方法。
【請求項５】
請求項１ないし４のいずれか一項に記載の液体噴射装置のメンテナンス方法において、
前記第１の液体流路の前記循環経路を構成する領域より前記噴射機構側となる領域には、前記噴射機構内の液体の圧力が下がった場合に開弁して該噴射機構に上流側から前記液体を供給可能とする圧力調整弁が設けられており、
前記循環流路には、前記液体を貯留可能な液体貯留部が少なくとも一つ設けられていることを特徴とする液体噴射装置のメンテナンス方法。
【請求項６】
請求項１ないし５のいずれか一項に記載の液体噴射装置のメンテナンス方法において、
前記循環ポンプは、前記液体を前記循環流路内で流動させる際の前記液体の流速と異なる流速で、前記循環流路に流入した前記洗浄液を、前記液体とともに前記循環流路内で流動させることを特徴とする液体噴射装置のメンテナンス方法。
【発明の詳細な説明】
【技術分野】
【０００１】
本発明は、液体噴射装置のメンテナンス方法に関し、特に液体噴射ヘッドに液体を供給する液体流路のメンテナンス方法に関する。
【背景技術】
【０００２】
一般に、液体を媒体に対して噴射させる液体噴射装置の一種として、インクジェット式プリンターが広く知られている。このプリンターは、インクカートリッジ（液体収容体）から供給されたインク（液体）を液体噴射ヘッドに形成されたノズルから媒体（例えば用紙）に対して噴射することにより印刷を行っている。そして、このようなプリンターでは、近年、高画質の印刷を実現するために、顔料インクが使用されることがある。
【０００３】
顔料インクは、時間が経過するとインク溶媒内で顔料粒子が沈降し、顔料インクの濃度に偏りが生じて色味が変わるという問題を有している。特に、インクカートリッジから液体噴射ヘッドまでの液体流路が長い場合は、この液体流路内で顔料粒子が沈降しやすくなる。従って、インクカートリッジから撹拌されたインクが液体流路に供給されても、インクカートリッジと液体噴射ヘッドとの間の液体流路において顔料インクの濃度の偏りを抑えられなければ、顔料インクの色味の変化を抑えることも難しくなってしまう。
【０００４】
そこで、液体流路におけるインクを撹拌する技術が、例えば特許文献１に提案されている。すなわち、インクカートリッジ（メインタンク）と液体噴射ヘッド（インクヘッド）とを接続する液体流路（インク供給チューブ）に対して、両端が三方弁を介してそれぞれ接続された別の液体流路（インク還流チューブ）を設けて循環流路を形成する。そして、この別の液体流路に循環ポンプを備えるとともに、備えた循環ポンプの動作によって、インクを循環流路内で流動させることにより撹拌する技術である。
【先行技術文献】
【特許文献】
【０００５】
【特許文献１】特開２００９−２７９９３２号公報
【発明の概要】
【発明が解決しようとする課題】
【０００６】
しかしながら、顔料インクを使用するプリンターにおいて、特許文献１に開示された技術を用いてインクの攪拌を行っても、プリンターが長期に使用される場合などでは液体流路内に顔料粒子が沈降し、液体流路間の継ぎ手などに形成される段差や窪みなどに溜まってしまうことがある。そこで、液体流路内に溜まった顔料粒子（沈殿物）を洗い流して液体流路をメンテナンスする方法として、液体流路内に洗浄液を流すことによって沈殿物を洗い流すことが考えられる。そして、このように液体流路に洗浄液を流す方法として、液体流路に対する液体の供給源側から洗浄液を供給し、液体流路内に既に供給されているインクを液体噴射ヘッドのノズルから吸い出すことによって吸い出されたインクの液量分が洗浄液に置換される際の洗浄液の流動を利用する方法が考えられる。
【０００７】
ところで、顔料インクを使用するプリンターにおいて、高画質の印刷を実現するために液体噴射ヘッドに形成されるノズルを微細化する場合がある。このような場合、微細化されたノズルからは、吸い出されるインクの液量が少なくなる。この結果、液体流路内を流れる洗浄液の流量も少なくなるため、沈殿物を洗い流すのに必要な流速が得られないことになる。従って、沈殿物が洗い流されるまでの時間が長くなるために洗浄液の使用量が増えたり、ノズルから液体を吸い出すための吸引ポンプの駆動時間が長くなるためにポンプの寿命が短くなったりする。
【０００８】
なお、こうした実情は、インクジェット式プリンターに限らず、液体流路を介して液体を噴射機構に供給し、その噴射機構に設けられているノズルを通じて噴射する液体噴射装置においては、概ね共通するものとなっていた。
【０００９】
本発明は、上記実情に鑑みてなされたものであり、噴射機構へ液体を供給する液体流路内の沈殿物を短時間で洗い流すことができる液体噴射装置のメンテナンス方法を提供することを主な目的とする。
【課題を解決するための手段】
【００１０】
上記目的を達成するために、本発明の液体噴射装置のメンテナンス方法は、液体を噴射するノズルを有する液体噴射機構と、前記ノズルからの前記液体の吸引により前記液体噴射機構から前記液体を排出する液体吸引機構と、前記液体噴射機構と接続され、前記液体の供給源側となる上流側から下流側の前記液体噴射機構に前記液体を供給する第１の液体流路と、両端が前記第１の液体流路に接続され、前記第１の液体流路との間で前記液体が循環する循環流路を形成する第２の液体流路と、前記第２の液体流路に設けられ、動作することによって前記液体を前記循環流路内において流動させる循環ポンプと、を備えた液体噴射装置において、前記第１の液体流路内を洗浄液で洗い流す液体噴射装置のメンテナンス方法であって、前記第１の液体流路に供給される前記供給源の前記液体が前記洗浄液に切り換えられた状態で、切り換えられた前記洗浄液を、前記液体吸引機構による吸引により前記液体を排出させることによって前記第１の液体流路に流入させ、前記循環流路内の前記液体の少なくとも一部を前記洗浄液に置換させる工程と、前記循環流路内において置換された前記洗浄液を、前記循環ポンプの動作によって前記液体とともに前記循環流路内で循環させて前記液体と混合する混合工程と、前記循環によって前記洗浄液と前記液体とが混合された混合液を、前記液体吸引機構によって前記ノズルから吸引して前記液体噴射機構から排出する排出工程と、を備えた。
【００１１】
この方法によれば、循環流路に流入した洗浄液を循環流路内において素早く循環させることによって液体と混合させ、第１の液体流路において沈降して溜まった沈殿物を、混合液中に拡散させることができる。そして、沈殿物が拡散された混合液をノズルから排出することによって、液体噴射機構へ液体を供給する液体流路内を短時間で洗い流すことができる。
本発明の液体噴射装置のメンテナンス方法において、前記循環によって前記洗浄液と前記液体とが混合された混合液を、前記液体吸引機構によって前記ノズルから吸引して前記液体噴射機構から排出した後、前記第１の液体流路に供給される前記供給源の前記洗浄液が前記液体に切り換えられた状態で、前記液体吸引機構による吸引により前記液体を前記第１の液体流路に流入させ、該液体を前記循環ポンプの動作によって前記循環流路内の前記混合液と混合する。
本発明の液体噴射装置のメンテナンス方法において、前記液体噴射機構は往復移動可能に保持されており、前記混合工程の後、前記液体噴射機構を往復移動させる。
【００１２】
本発明の液体噴射装置のメンテナンス方法において、前記循環ポンプは、前記洗浄液が前記循環流路の流路容積の半分の容積に相当する液量以上が流入したのち動作を開始する。
【００１３】
この方法によれば、循環流路において流路の約半分が洗浄液で満たされた状態となるので、洗浄液を循環流路全体に素早く移動させることができる。従って、洗浄液と液体とが混ざり合った混合液中に沈殿物が拡散するまでの循環ポンプの動作時間を少なく抑制することができる。
【００１４】
本発明の液体噴射装置のメンテナンス方法において、前記循環ポンプは、前記第１の液体流路に流入した前記洗浄液が前記ノズルに到達したのち動作を開始する。
この方法によれば、洗浄液が循環流路から下流側に位置する液体噴射機構にいたる液体流路に流入した状態になっているので、循環ポンプの動作によって洗浄液が流動する第１の液体流路における循環流路の流路範囲以外の下流側流路においても、第１の液体流路における沈殿物を洗浄液に拡散させることができる。
【００１５】
本発明の液体噴射装置のメンテナンス方法において、前記循環ポンプは、前記液体噴射機構に前記液体を供給する際に前記第１の液体流路を流れる前記液体の流れ方向とは反対方向に、前記洗浄液を前記液体とともに前記循環流路内において流動させるように動作する。
【００１６】
この方法によれば、第１の液体流路において液体の供給時の流れによって特定の場所に沈降した沈殿物を、その反対方向から洗浄液とともに液体を流動させることによって、流動する洗浄液および液体中に拡散させることができる確率を高くすることができる。
【００１７】
本発明の液体噴射装置のメンテナンス方法において、前記第１の液体流路の前記循環経路を構成する領域より前記噴射機構側となる領域には、前記噴射機構内の液体の圧力が下がった場合に開弁して該噴射機構に上流側から前記液体を供給可能とする圧力調整弁が設けられており、前記循環流路には、前記液体を貯留可能な液体貯留部が少なくとも一つ設けられている。
この方法によれば、例えば、循環ポンプが動作することによって循環流路を流動する液体および洗浄液に脈動が生じる場合、流動する液体および洗浄液を液体貯留部に貯留することによって脈動を抑制することができる。この結果、循環流路内において液体および洗浄液を安定した流速で流動させることができる。
【００１８】
本発明の液体噴射装置のメンテナンス方法において、前記循環ポンプは、前記液体を前記循環流路内で流動させる際の前記液体の流速と異なる流速で、前記循環流路に流入した前記洗浄液を、前記液体とともに前記循環流路内で流動させる。
【００１９】
この方法によれば、例えば、液体に含まれる溶質の、当該液体での分散性と混合液（洗浄液）での分散性との差異に応じてそれぞれの流速を異ならせるように循環ポンプを動作させることによって、溶質が沈降して溜まった沈殿物を混合液中に効率よく分散させることができる。
【図面の簡単な説明】
【００２０】
【図１】本発明に係る液体噴射装置の一実施形態となるプリンターの概略構成図。
【図２】本実施形態のプリンターにおいて、インク供給チューブの洗浄動作に係る構成を示す模式図。
【図３】洗浄液によるインク供給チューブの洗浄処理を示すフローチャート。
【図４】インク供給チューブの洗浄処理の動作状態を示す模式図で、（ａ）は洗浄液が循環流路内に流入した状態を示す図、（ｂ）は洗浄液がインクとともに循環流路内を循環する状態を示す図。
【図５】（ａ）は本実施形態のインク供給チューブにおいて液体貯留部を有さない循環流路を示す模式図、（ｂ）は本実施形態のインク供給チューブにおいて液体体貯留部に換えてインクおよび洗浄液を貯留するサブタンクを備えた循環流路を示す模式図。
【図６】変形例で、循環流路の他の構成を示す模式図。
【図７】変形例で、循環流路の他の構成を示す模式図。
【発明を実施するための形態】
【００２１】
以下、本発明に係る液体噴射装置をインクジェット式プリンター（以下、「プリンター」とも言う）に具体化した一実施形態について、図面を参照しながら説明する。本実施形態のプリンターは、一方向に搬送される媒体に対して液体供給源から液体流路を介して供給される液体を液体噴射機構から噴射して文字や図形を含む画像等を形成する。
【００２２】
図１に示すように、液体噴射装置の一例としてのプリンター１１における略矩形箱状をなすフレーム１２内の重力方向側となる下部には、その長手方向Ｘに沿って媒体の一例である用紙Ｓを、画像形成時つまり印刷時に支持するための支持部材１３が延設されている。そして、用紙Ｓの搬送方向Ｙとは逆方向となるフレーム１２の後方の下部に設けられた図示しない紙送りモーターの駆動に基づいて図示しない紙送り機構が駆動され、用紙Ｓが、この紙送り機構によって、支持部材１３上を支持部材１３の長手方向Ｘと交差する短手方向（前方向）を搬送方向Ｙとして搬送される。
【００２３】
また、フレーム１２の長手方向Ｘの一端側（本実施形態では搬送方向Ｙの前方側から見て右端側）に配設されたカートリッジホルダー１４には、液体の一例としてのインクを収容する液体収容体の一例としてのインクカートリッジ１５が、液体供給源として複数個（ここでは４つ）着脱可能に装着されている。なお、本実施形態において、各インクカートリッジ１５は互いに異なる色のインクがそれぞれ収容されてカートリッジホルダー１４に装着されている。また、各インクカートリッジ１５には顔料インクが収容されている。
【００２４】
フレーム１２内には長手方向Ｘに沿って延びるガイド軸１９が架設されているとともに、このガイド軸１９にはキャリッジ２０が摺動可能に支持されている。キャリッジ２０は、フレーム１２の搬送方向における上流側（後方側）に設けられたキャリッジモーター１６によって回転駆動される無端状のタイミングベルト１７の一部に固定されている。従って、キャリッジ２０は、キャリッジモーター１６の駆動によりタイミングベルト１７が駆動されることによってガイド軸１９に沿って長手方向Ｘを走査方向として往復移動される。また、キャリッジ２０には、下面側にインクを噴射する複数のノズル２１ａ（図２参照）が設けられた液体噴射機構としての液体噴射ヘッド２１と、各インクカートリッジ１５に対応して設けられ液体噴射ヘッド２１へのインクの供給を制御する複数のバルブユニット２５と、が搭載されている。
【００２５】
フレーム１２内においてキャリッジ２０の走査方向に沿う移動範囲における一端側（本実施形態ではカートリッジホルダー１４側）は媒体噴射領域以外の非媒体噴射領域であり、この領域にはホーム位置ＨＰが設けられている。そして、このホーム位置ＨＰには、液体噴射ヘッド２１に対して各種メンテナンス処理を行うためのメンテナンス装置２２が配設されている。
【００２６】
メンテナンス装置２２は、ホーム位置ＨＰに移動した液体噴射ヘッド２１に対してキャップ２７ａを下方から上昇させて当接させ、その当接によって形成される閉空間を吸引ポンプ２９によって負圧状態にすることにより、ノズル２１ａからインクを吸引する液体吸引機構２７を備えている。あるいは、噴射されるインクを受容する受容部（不図示）を備え、この受容部にノズル２１ａからインクを強制的に噴射させる。こうすることで、メンテナンス装置２２は、ノズル２１ａから例えば増粘したインクを排出して、ノズル２１ａからのインクの噴射動作を安定させるためのメンテナンスを行う。なお、排出されたインクは不図示の廃液タンクに収容される。
【００２７】
さて、本実施形態では、一端が液体供給源となるインクカートリッジ１５にそれぞれ接続されるとともに、他端がインクカートリッジ１５を上流側としてその下流側に位置するバルブユニット２５を介して液体噴射ヘッド２１に接続されたインク供給チューブ３１を第１の液体流路として備えている。従って、インクは、それぞれのインク供給チューブ３１を介して各インクカートリッジ１５から液体噴射ヘッド２１に供給される。
【００２８】
バルブユニット２５には、噴射ノズルからインクが噴射されてインクの圧力が下がった場合に開弁して液体噴射ヘッド２１（ノズル２１ａ）に対して上流側からインクを供給する所謂自己封止弁として機能する圧力制御弁２４が備えられている。インク供給チューブ３１はこの圧力制御弁２４の上流側に接続されている。
【００２９】
また、インク供給チューブ３１には、圧力制御弁２４よりも上流側において、開閉弁２３ａ（図２参照）を備えた逆止弁２３が設けられている。逆止弁２３は、インクが上流側のインクカートリッジ１５側から下流側の圧力制御弁２４側に向かって流れる場合は開閉弁２３ａを開弁する一方、下流側の圧力制御弁２４側から上流側のインクカートリッジ１５側へ向かってインクが流れようとする場合は開閉弁２３ａが閉弁してその流れを阻止する。
【００３０】
インク供給チューブ３１には、逆止弁２３とインクカートリッジ１５との間に、切換弁３６が設けられ、洗浄液が収容された洗浄液カートリッジ３５が洗浄液供給チューブ３１Ｓを介して切換弁３６に接続されている。切換弁３６は、例えば三方弁の構造を有し、インク供給チューブ３１において切換弁３６よりも下流側に、インクカートリッジ１５からインクを供給する状態と、洗浄液カートリッジ３５から洗浄液を供給する状態とのいずれかの状態に切り換えが可能である。なお、図１では、説明の簡略化のため、一つの洗浄液カートリッジ３５のみ図示されているが、４つのインクカートリッジ１５のそれぞれに対応して４つの洗浄液カートリッジ３５がそれぞれ切換弁３６によって各インク供給チューブ３１に接続される。
【００３１】
さらに、インク供給チューブ３１には、圧力制御弁２４と逆止弁２３との間に、図１ではブロックとして図示されているが、その両端がインク供給チューブ３１に接続された別の液体流路が備えられ、インク供給チューブ３１との間でインクが循環する循環流路ＪＦが形成されている。この循環流路ＪＦを含めて、インクカートリッジ１５および洗浄液カートリッジ３５から液体噴射ヘッド２１に至る各液体流路の構成について、図２を参照して説明する。
【００３２】
なお、本実施形態では各液体流路は全て同じ構成を有している。従って、図２では、説明の簡略化のため、一つの循環流路ＪＦを含む液体流路について、その構成要素が模式的に図示されている。また図２では、液体流路を構成する各構成要素が一続きの連続する部材で図示されているが、実際には、互いに接続された複数の部材によって形成される。
【００３３】
図２に示すように、インク供給チューブ３１に対してその両端が接続部Ｃ１，Ｃ２によって接続された第２の液体流路としてのインク循環チューブ３２が備えられ、このインク循環チューブ３２とインク供給チューブ３１との間でインクが循環する循環流路ＪＦが形成されている。そして、インク循環チューブ３２には、インクを循環流路ＪＦ内において流動させるポンプ動作を行うチューブポンプ４０が循環ポンプとして設けられている。また、インク供給チューブ３１には、インク循環チューブ３２が接続された両接続部Ｃ１，Ｃ２間の流路部位３１ｃに設けられ、インクが加圧された状態で一時的に貯留されるバッファーとして機能する液体貯留部５０が備えられている。なお、本実施形態では、両接続部Ｃ１，Ｃ２のうち接続部Ｃ１が逆止弁２３に近い側の接続部である。
【００３４】
チューブポンプ４０は、可撓性を有するチューブ（ここではインク循環チューブ３２の一部）が円弧状に形成された湾曲部３２Ｒにおいて、回転体４１に移動可能に備えられたローラー４２が、駆動源によって回転させられる回転体４１の一方向への回転に伴ってインクを、その回転方向へ押し出すことにより循環流路ＪＦ内を一方向に流動させる。すなわち、ローラー４２が湾曲部３２Ｒに進入すると、ローラー４２はガイド孔４３に沿って回転体４１の回転中心から離れるように移動してインク循環チューブ３２を押し潰す。この押し潰しによってインク循環チューブ３２内のインクは加圧された状態となる。そしてローラー４２がインク循環チューブ３２を押し潰しながら回転体４１と一緒に回転（公転）することによって、インク循環チューブ３２内のインクは、加圧されながらローラー４２の回転方向に押し出されて循環流路ＪＦ内を一方向に流動させられる。
【００３５】
チューブポンプ４０では、このローラー４２の回転に伴ってインク循環チューブ３２がローラー４２によって潰された状態と潰されない状態とを繰り返すために、インク循環チューブ３２内のインクは加圧状態と減圧状態とを繰り返す。従って、チューブポンプ４０は動作中においてインク循環チューブ３２内のインクに対して加圧状態と減圧状態との間での圧力変動（脈動）を生じさせる循環ポンプである。
【００３６】
液体貯留部５０は、インク供給チューブ３１とインクの流路が連通する連通部５５を有して形成された容器体５１と、容器体５１内の容積を変化させるように変位する変位板５３とを有している。本実施形態では、変位板５３は平板部材で形成され、容器体５１の内側壁５１ａに対してその周縁を密着させながらインク循環チューブ３２との連通部５５側から遠ざかるように移動することによって、容器体５１の内容積を大きくさせ、液体貯留部５０に貯留可能なインクの液量を増加させる。
【００３７】
また、変位板５３は、図２中矢印Ｇで示すように、例えばコイルばねなどで構成される加圧部５４によって内容積が小さく変化させる方向へ移動するように付勢されている。従って、変位板５３が加圧部５４の付勢に抗して移動することによって、液体を、加圧部５４によって加圧された状態とされたままで液体貯留部５０に一時的に貯留可能な液量を増加させる。従って、液体貯留部５０は、貯留するインクを増減させることによってチューブポンプ４０の動作時に生ずる循環流路内におけるインクの圧力変動を吸収する。なお、本実施形態では、容器体５１の内側壁５１ａには、上方から見たとき変位板５３と係合するように中心に向かって庇状に飛び出した突起部５２が形成され、変位板５３が、この突起部５２によって加圧部５４の付勢方向への移動が規制された状態が、液体貯留部５０における液体の貯留量がゼロの状態である。
【００３８】
このように循環流路ＪＦが形成されたインク供給チューブ３１における接続部Ｃ１の上流側となる流路部位３１ａに対して、用紙Ｓに対して画像を形成（印刷）する場合は、図２に示すように、切換弁３６の切換動作によってインクカートリッジ１５から逆止弁２３を介してインクが供給される。すなわち、液体噴射ヘッド２１（ノズル２１ａ）からインクが用紙Ｓに噴射されて消費されると、液体噴射ヘッド２１側が減圧状態となって圧力制御弁２４が開弁し、圧力制御弁２４に接続されたインク供給チューブ３１における接続部Ｃ２の下流側となる流路部位３１ｂのインクが、圧力制御弁２４を介して液体噴射ヘッド２１に供給される。この結果、インク供給チューブ３１において図中実線矢印Ｆｓで示すように、流路部位３１ａから流路部位３１ｃを経由して流路部位３１ｂへ向かうインクの流れが生じるため、図中二点鎖線で示すように開閉弁２３ａが開弁してインクカートリッジ１５からインクが流路部位３１ａに供給される。
【００３９】
このような画像の印刷に際してインク供給チューブ３１を流れるインクは、印刷による消費分の液量で流れるためにその流速が遅く、このためインク内の顔料成分（溶質）が流路内で沈降しやすくなる。この結果、沈降した顔料成分（溶質）が溜まることによって沈殿物３８が形成される場合がある。なお、図２では説明の簡略化のため沈殿物３８が流路部位３１ｃにおける液体貯留部５０の位置に形成されるものとして図示されている。もとより、前述するように、沈殿物は流路内の段差や窪み部分に形成されやすい。
【００４０】
そこで、プリンター１１では、沈殿物３８をインクの溶媒中に分散させるため、チューブポンプ４０を動作させてインクを循環流路内で循環流動させる攪拌動作が行われる。このとき、本実施形態では、図中破線矢印Ｆｋで示すように、インク供給チューブ３１の流路部位３１ｃにおいて、インクが液体噴射ヘッド２１へインクを供給するときのインクの流れ方向と反対方向に流れるようにチューブポンプ４０（回転体４１）を図中矢印Ｒで示す一方向に回転させる。
【００４１】
さらに、本実施形態のプリンター１１では、例えば攪拌動作によっても分散されずに残った沈殿物３８を、洗浄液で洗い流す洗浄動作が行われる。洗浄動作は、プリンター１１に備えられた制御部６０によって行われる。なお、本実施形態では、攪拌動作についても制御部６０によって行われる。
【００４２】
制御部６０は、制御信号６１によってキャリッジモーター１６を回転動作させてキャリッジを移動させる。また、制御信号６２によってキャップ２７ａを上下移動させるとともに、キャップ２７ａが液体噴射ヘッド２１と当接した状態で、制御信号６９によって吸引ポンプ２９を動作させる。また、制御部６０は、制御信号６３によって切換弁３６における弁体３６ａを図中実線と二点鎖線とで示すように変位させて、インク供給チューブ３１における逆止弁２３の上流側にインクおよび洗浄液のいずれかを供給する。また、制御信号６４によってチューブポンプ４０を動作させる。さらに、制御部６０は、循環流路ＪＦ内に設けられた検出センサー５６から出力される検出信号６５によって、インク供給チューブ３１における沈殿物３８の拡散状態を判定する。なお、検出センサー５６は、例えば光センサーが用いられ、少なくとも光透過性を有する流路部分における液体（洗浄液およびインク）の透明度を表すレベル値を示す信号を出力する。
【００４３】
次に、制御部６０が行う洗浄動作（作用）について図３に示す処理フロー、および図４（ａ），（ｂ）を参照して説明する。なお、この洗浄動作は、液体噴射ヘッド２１がホーム位置ＨＰに移動した状態で行われる。あるいは、例えば、プリンター１１においてインクカートリッジ１５から液体噴射ヘッド２１へインクが供給される状態が所定時間経過する毎に自動的に行われたり、検出センサー５６から出力される検出信号６５が、例えば沈殿物が拡散を要する量になっていることを示すレベル値を出力した場合に行われたりする。
【００４４】
図３に示すように、洗浄動作が開始されると、制御部６０は、ステップＳ１にて、インクの攪拌動作は停止中か否かを判定処理する。ここでは、制御部６０はチューブポンプ４０に対する制御信号６４の出力の有無によって判定する。なお、チューブポンプ４０は攪拌動作の停止状態においてローラー４２がインク循環チューブ３２を押し潰さない流路が開放された状態とされている。
【００４５】
ステップＳ１での判定処理の結果、攪拌動作が停止中である場合（Ｓ１＝ＹＥＳ）、ステップＳ２へ進み、供給源の液体をインクから洗浄液に切り換える処理を行う。すなわち、制御部６０は制御信号６３を切換弁３６に出力して弁体３６ａを変位させることによって、インクの供給を遮断し、洗浄液カートリッジ３５から洗浄液が逆止弁２３の上流側に供給されるようにする。
【００４６】
続いて、ステップＳ３にて液体噴射ヘッドのノズルから液体を吸引する処理を行う。ここでは、制御部６０は制御信号６２を出力してキャップ２７ａを上昇させて液体噴射ヘッド２１に当接させ、当接によって形成される液体噴射ヘッド２１とキャップ２７ａとの間に形成される空間を、制御信号６９を出力して吸引ポンプ２９を駆動することで減圧し、液体としてのインクをノズル２１ａから吸引する。
【００４７】
続いてステップＳ５にて、ノズルから液体が設定量排出されたか否かを判定処理する。そして、ステップＳ５での判定処理の結果、ノズルから液体が設定量排出されていないと判定されると（Ｓ５＝ＮＯ）、ステップＳ３に戻り液体噴射ヘッドのノズルからの液体の吸引を継続する。ここでは、制御部６０は、吸引ポンプ２９の駆動時間に基づいて液体噴射ヘッド２１のノズル２１ａから排出されるインクの総液量を算出し、算出した値が、設定量を超えたか否かで判定する。なお、本実施形態では、設定量は、インク供給チューブ３１においてインクと置換されて流入する洗浄液が、少なくとも循環流路ＪＦの一部に進入した状態となる液量である。
【００４８】
このステップＳ３とステップＳ５との処理による洗浄液の循環流路ＪＦへの流入状態について、その一例を図４（ａ）に例示する。図４（ａ）に示すように、洗浄液カートリッジ３５から供給される洗浄液は、液体噴射ヘッド２１（ノズル２１ａ）からのインクの吸引に伴って、逆止弁２３を介してインク供給チューブ３１における流路部位３１ａに流入する。
【００４９】
インクカートリッジ１５から流路部位３１ａに流入した洗浄液は、循環流路ＪＦにおけるインク循環チューブ３２側へは、チューブポンプ４０を構成する湾曲部３２Ｒやローラー４２によるインク循環チューブ３２の押し潰しに起因する流動抵抗によって、流れ難くなっている。このため、洗浄液の大半は、液体貯留部５０が設けられることによって流路抵抗がインク循環チューブ３２側よりも低い流路部位３１ｃ側に向かって流れる。そして、洗浄液は、図中実線矢印Ｆｓで示すように、さらにインク供給チューブ３１において循環流路ＪＦ内の少なくとも一部のインクを置換するように、流路部位３１ｃを流路部位３１ｂに向かって流動する。ちなみに図４（ａ）では、洗浄液が接続部Ｃ２まで流入した状態を示している。
【００５０】
図３に戻り、ステップＳ５での判定処理の結果、ノズルから液体が設定量排出されたと判定されると（Ｓ５＝ＹＥＳ）、続くステップＳ６にて液体噴射ヘッドのノズルからの液体の吸引を終了し循環ポンプを所定時間駆動する処理を行う。ここでは、制御部６０は制御信号６４を出力して循環ポンプとしてのチューブポンプ４０を所定時間（例えば１分間）駆動させ、循環流路ＪＦにおいて流入した洗浄液を循環流路ＪＦ内に残留するインクとともに循環流動させる。なおこのときチューブポンプ４０によって流動する液体（インクおよび洗浄液）の流速は、インクの攪拌動作におけるインクの流速と同じ速度とされている。
【００５１】
さらに、本実施形態では、次のステップＳ７にて、キャリッジを往復移動させる処理を行う。制御部６０は、制御信号６１を出力してキャリッジモーター１６を回転させキャリッジ２０を長手方向Ｘ（走査方向）に往復移動させる。すなわち、キャリッジ２０を往復移動させることによって循環流路ＪＦ以外の部分、特にインク供給チューブ３１において洗浄液の供給源から最も離れているために洗浄液が流れ難い流路部位３１ｂ内において沈殿物を拡散させる。なお、この処理に際して、制御部６０は、必要に応じて制御信号６２を出力してキャップ２７ａを降下させ、キャップ２７ａを液体噴射ヘッド２１から離すことによってキャリッジ２０の移動がキャップ２７ａによって抑制されないようにする。
【００５２】
このステップＳ６およびステップＳ７での処理における洗浄液の流動状態について、図４（ｂ）に例示する。図４（ｂ）に示すように、チューブポンプ４０においてローラー４２がインク循環チューブ３２の湾曲部３２Ｒを押し潰しながら回転するポンプの動作状態では、図中実線矢印Ｆａで示すように、湾曲部３２Ｒから加圧されて押し出されたインクが循環流路ＪＦを一方向に流れて循環流動する。このとき、インク供給チューブ３１の流路部位３１ｃに流入した洗浄液が、インクとともに循環流動させられるため、洗浄液はインクと混ざり合って図中薄い網掛けで示したように混合液となり、循環流路ＪＦを流動する。そして、このように混合液が循環流路ＪＦを流動する際、流路部位３１ｃに形成された沈殿物３８は混合液が流動することによって巻き上げられて、混合液中に分散させられる。この結果、沈殿物３８の量は減少していく。
【００５３】
換言すれば、チューブポンプ４０は、循環流路ＪＦにおいて、沈殿物を分散させることが可能な流速（単位時間あたりの流量）で混合液を流動させる。本実施形態では、循環流路ＪＦ内を循環するときの流速は、洗浄液が逆止弁２３を介して循環流路ＪＦ側に流入する際の速度、すなわちステップＳ３の処理においてノズル２１ａから吸引されるインクの単位時間当たりの液量に比べて、２倍以上の流量で流れる速さとされている。
【００５４】
このように、ステップＳ６の処理によって、設けられたチューブポンプ４０に起因して流路抵抗が高くなっているインク循環チューブ３２において、上流側から逆止弁２３を介して流入する洗浄液を、インクとともに循環流路ＪＦ内で循環流動させることができる。この結果、洗浄液がインクと置換されて流入した状態において洗浄液が殆ど流入していないインク循環チューブ３２について、沈殿物が発生していても、この流動する洗浄液あるいは洗浄液とインクとの混合液によってその沈殿物を分散させることができる。
【００５５】
なお、循環流路ＪＦに液体貯留部５０が備えられる場合、チューブポンプ４０の動作によってインク供給チューブ３１を流れるインクは、図４（ｂ）において実線矢印Ｆｅで示すように、その一部が連通部５５から液体貯留部５０に流入して貯留される。このとき、液体貯留部５０は、変位板５３が、図４（ｂ）において二点鎖線および実線で示すように、インク供給チューブ３１から離れるように変位してその内容積を変化させることによって、混合液の脈動に伴う流量変化をこの容積変化によって吸収する。この結果、混合液は循環流路ＪＦを安定した流速で流れることになり、その流速によって沈殿物を安定して混合液中に拡散させる。
【００５６】
なお、チューブポンプ４０の動作状態では、逆止弁２３に対して下流側の圧力が上昇するため、開閉弁２３ａが閉弁して洗浄液カートリッジ３５側からインクが循環流路ＪＦ側に流れることはない。また液体噴射ヘッド２１側へも、圧力制御弁２４の閉弁状態が維持され、循環する混合液がインク供給チューブ３１側から流れることはない。
【００５７】
図３に戻り、次にステップＳ８にて液体噴射ヘッドのノズルから液体を所定量吸引する処理を行う。ここでは、制御部６０は、キャップ２７ａが降下している場合、まず制御信号６２を出力してキャップ２７ａを上昇させて液体噴射ヘッド２１に当接させる。その後、制御信号６９を出力して吸引ポンプ２９を所定時間駆動させることによって、ノズル２１ａから液体、すなわち沈殿物３８が拡散している混合液を吸引する。
【００５８】
本実施形態では、このステップＳ８の処理においてノズル２１ａから吸引される混合液の所定量として、インク供給チューブ３１における流路部位３１ｂの容積と流路部位３１ｃの容積との加算容積に相当する液量以上とされている。こうすることで、インク供給チューブ３１における流路部位３１ｃおよび流路部位３１ｂから、沈殿物が拡散された状態の混合液を吸引によって排出するとともに、逆止弁２３を介して新たな洗浄液を流入させて置換させる。
【００５９】
次に、ステップＳ１０にて、液体の透明度は閾値以上か否かを判定処理する。制御部６０は、透明度、すなわち検出センサー５６から出力される透明度を示す信号のレベル値が、予め定められた閾値以上か否かを判定する。閾値としては、例えば、循環流路ＪＦにおいて沈殿物３８が形成されていない状態で検出センサーが出力するレベル値とする。
【００６０】
ステップＳ１０での判定処理の結果、液体の透明度が閾値よりも低い場合は（Ｓ１０＝Ｎ０）、混合液中に溶質が多く分散していることから沈殿物３８がまだ残留していると推定されるので、ステップＳ３に戻り、ステップＳ３からステップＳ１０までの処理を繰り返す。なお、本実施形態では、ステップＳ８の処理において、ノズル２１ａから吸引される液体の所定量が、ステップＳ５において判定処理される設定量を超えている場合は、ステップＳ３の処理と並行して行われるステップＳ５の判定処理（Ｓ５＝ＹＥＳ）によって、実際にはステップＳ３の処理が実行されることなくステップＳ６の処理に移行する。
【００６１】
そして、ステップＳ１０での判定処理の結果、液体の透明度が閾値以上である場合は（Ｓ１０＝ＹＥＳ）、ステップＳ１２に移行して、供給源の液体を洗浄液からインクに切り換える処理を行う。すなわち、制御部６０は制御信号６３を出力して切換弁３６における弁体３６ａを変位させることによって、洗浄液を遮断し、インクカートリッジ１５からインクが逆止弁２３の上流側に供給されるようにする。
【００６２】
続いて、ステップＳ１３にて液体噴射ヘッドのノズルから液体を吸引する処理を行う。制御部６０は、制御信号６９を出力して吸引ポンプ２９を駆動することで、液体噴射ヘッド２１とキャップ２７ａとの間に形成される空間を減圧して、液体としての混合液ないし洗浄液をノズル２１ａから吸引する。
【００６３】
続いてステップＳ１５にて、ノズルから液体が設定量排出されたか否かを判定処理する。そして、ステップＳ１５での判定処理の結果、ノズルから液体が設定量排出されていないと判定されると（Ｓ１５＝ＮＯ）、ステップＳ１３に戻り液体噴射ヘッドのノズルからの液体の吸引を継続する。ここでは、制御部６０は、吸引ポンプ２９の駆動時間に基づいて液体噴射ヘッド２１のノズル２１ａから排出される混合液ないし洗浄液の総液量を算出し、算出した値が、設定量を超えたか否かで判定する。なお、本実施形態では、この設定量は、インク供給チューブ３１において混合液ないし洗浄液と置換されて流入するインクが、少なくとも循環流路ＪＦに流入する液量であって、好ましくは接続部Ｃ２まで進入した状態となる液量とされている。
【００６４】
そして、ステップＳ１５での判定処理の結果、ノズルから液体が設定量排出されたと判定されると（Ｓ１５＝ＹＥＳ）、続くステップＳ１６にて液体噴射ヘッドのノズルからの液体の吸引を終了し循環ポンプを所定時間駆動する処理を行う。ここでは、制御部６０は制御信号６９の出力を停止する一方制御信号６４を出力して、循環ポンプとしてのチューブポンプ４０を所定時間（例えば１分間）駆動させ、循環流路ＪＦにおいて流入したインクを残留する混合液とともに循環流動させる。
【００６５】
なお、ステップＳ１６における液体の循環流動に際しては、その液体の流速がステップＳ６において循環流動される液体の流速とは異なる流速とされている。すなわち、チューブポンプ４０は、混合液におけるインクの溶質の分散性つまり洗浄液とインクの溶媒とが混合された状態の溶媒中におけるインクの溶質の分散性と、インクのみの溶媒中におけるインクの溶質の分散性との差異に応じて流速が異なるように駆動される。例えば、洗浄液中においてインクの溶質が素早く沈降する場合は流速を早くし、逆にゆっくり沈降する場合は流速を遅くする。
【００６６】
次に、ステップステップＳ１８にて液体噴射ヘッドのノズルからの液体を所定量吸引する処理を行う。制御部６０は、制御信号６９を出力して吸引ポンプ２９を所定時間駆動させることによって、ノズル２１ａから液体としての混合液もしくはインクを吸引する。なお、本実施形態では、このステップＳ１８の処理においてノズル２１ａから吸引される混合液の所定量として、ステップＳ８と同様に、インク供給チューブ３１における流路部位３１ｂの容積と流路部位３１ｃの容積との加算容積に相当する液量以上とされている。こうすることで、インク供給チューブ３１における流路部位３１ｃおよび流路部位３１ｂから、混合液が排出されるとともに、逆止弁２３を介してインクを流入させて置換させる。
【００６７】
次に、ステップＳ２０にて、液体の透明度は閾値以下か否かを判定処理する。制御部６０は、検出センサー５６から出力される透明度を示す信号のレベル値が、予め定められた閾値以下か否かを判定する。閾値としては、例えば、インク供給チューブ３１の流路部位３１ｃにおいてインクのみが流入した状態で検出センサーが出力するレベル値とする。
【００６８】
ステップＳ２０での判定処理の結果、液体の透明度が閾値よりも高い場合は（Ｓ２０＝Ｎ０）、ステップＳ１６に戻り、ステップＳ１６およびステップＳ１８の処理を繰り返す。すなわち、インク供給チューブ３１には、まだ混合液（洗浄液）が残留していることになるので、制御部６０は制御信号６４を出力してチューブポンプ４０を所定時間駆動したのち、制御信号６９を出力して吸引ポンプ２９を所定時間駆動する。
【００６９】
そして、ステップＳ２０での判定処理の結果、液体の透明度が閾値以下である場合は（Ｓ２０＝ＹＥＳ）、インクの洗浄動作が終了する。すなわち、本実施形態では、インク供給チューブ３１の流路部位３１ｃにおいて洗浄液が排出されインクのみが流入した状態となっていると推定されるので、流路部位３１ｂを介して液体噴射ヘッド２１へ供給されるインクは印刷に使用可能なインクになることから、インクの洗浄動作を終了させる。
【００７０】
上記説明した実施形態によれば、以下の効果を得ることができる。
（１）循環流路ＪＦに流入した洗浄液を循環流路ＪＦ内において素早く循環させることによってインクと混合させ、インク供給チューブ３１において沈降して溜まった沈殿物３８を、混合液中に拡散させることができる。そして、沈殿物３８が拡散された混合液をノズル２１ａから排出することによって、液体噴射ヘッド２１へインクを供給する液体流路内を短時間で洗い流すことができる。また、インク供給チューブ３１全体に洗浄液を流入させないので、ノズル２１ａから液体（インク）を吸引する吸引時間も短くなる。この結果、吸引ポンプ２９の駆動時間を抑制することができるとともに、洗浄液の使用量を抑制することができる。さらに、チューブポンプ４０が備えられたインク循環チューブ３２において、例えば設けられたチューブポンプ４０の流路抵抗によって洗浄液が流れ難いインク循環チューブ３２においても、チューブポンプ４０の動作によって循環流路内を循環させることが可能である。従って、沈殿物３８がインク循環チューブ３２内において発生しても、これを拡散させることが可能である。
【００７１】
（２）インク供給チューブ３１においてインクの供給時の流れによって特定の場所に沈降した沈殿物を、その反対方向から洗浄液とともにインクを流動させることによって、流動する洗浄液およびインク中に拡散させることができる確率を高くすることができる。
【００７２】
（３）例えば、チューブポンプ４０が動作することによって循環流路ＪＦを流動するインクおよび洗浄液に脈動が生じる場合、流動するインクおよび洗浄液を液体貯留部５０に貯留することによって脈動を抑制することができる。この結果、循環流路ＪＦ内においてインクおよび洗浄液を安定した流速で流動させることができる。
【００７３】
（４）例えば、インクに含まれる溶質の、当該インクでの分散性と混合液（洗浄液）での分散性との差異に応じてそれぞれの流速を異ならせるようにチューブポンプ４０を動作させることによって、溶質が沈降して溜まった沈殿物３８を混合液中に効率よく分散させることができる。
【００７４】
なお、上記実施形態は以下のような別の実施形態に変更してもよい。
・上記実施形態における洗浄動作におけるステップＳ５での処理において、ノズル２１ａから排出されるインクの排出量となる設定量を、洗浄液が循環流路ＪＦの全流路容積の半分の容積に相当する液量としてもよい。
【００７５】
すなわち、本変形例では、インク供給チューブ３１の流路部位３１ｃ、インク循環チューブ３２、接続部Ｃ１、および接続部Ｃ２のそれぞれの内容積と、液体貯留部５０の内容積とを合計した全容積の半分の容積に相当する液量を設定量とする。なお、より好ましくは、これにインク供給チューブ３１の流路部位３１ａの内容積を加算した液量を設定量とする。
【００７６】
これにより、インク供給チューブ３１（流路部位３１ｃ）とインク循環チューブ３２との長さがおおよそ同じである場合は、循環流路ＪＦにおいて流路の凡そ半分のインクが洗浄液で置換される。従って、続くステップＳ６の処理において、チューブポンプ４０は、洗浄液が循環流路ＪＦの全流路容積の半分の容積に相当する液量以上流入したのち動作を開始することになる。
【００７７】
本変形例によれば、上記実施形態での効果（１）〜（４）に加えて次の効果を奏する。
（５）循環流路ＪＦにおいて流路の約半分が洗浄液で満たされた状態となるので、洗浄液を循環流路ＪＦ全体に渡って素早く移動させることができる。従って、洗浄液とインクとが混ざり合った混合液中に沈殿物３８が拡散するまでのチューブポンプ４０の動作時間を少なく抑制することができる。
【００７８】
・あるいは、上記実施形態における洗浄動作の処理ステップＳ５において、ノズル２１ａから排出されるインクの排出量となる設定量を、逆止弁２３を介してインク供給チューブ３１へ流入した洗浄液が、液体噴射ヘッド２１のノズル２１ａに到達するまでの液量としてもよい。例えば、洗浄液がインク循環チューブ３２側へは殆ど流れない場合は、インク供給チューブ３１における流路部位３１ａ，３１ｃ，３１ｂの全内容積と、液体貯留部５０の内容積と、圧力制御弁２４からノズル２１ａまでの流路の内容積と、を合計した容積に相当する液量を設定量とする。
【００７９】
これにより、インク供給チューブ３１（流路部位３１ｃ）がインク循環チューブ３２よりも長い流路とされている場合であっても、循環流路ＪＦから下流側の流路部位３１ｂにおいてもインクが洗浄液で置換される。従って、続くステップＳ６の処理において、チューブポンプ４０は、インク供給チューブ３１に流入した洗浄液がノズル２１ａに到達したのち動作を開始することになる。
【００８０】
本変形例によれば、上記実施形態での効果（１）〜（４）に加えて次の効果を奏する。
（６）洗浄液が循環流路ＪＦから下流側に位置する液体噴射ヘッド２１にいたる液体流路に流入した状態になっているので、チューブポンプ４０の動作によって洗浄液が流動するインク供給チューブ３１における循環流路の流路範囲以外の下流側の流路部位３１ｂにおいても、沈殿物３８を洗浄液に拡散させることができる。
【００８１】
・上記実施形態における洗浄動作の処理ステップＳ５において、ノズル２１ａから設定量のインクが排出された状態を、検出センサーで検出するようにしてもよい。例えば、上記変形例のように洗浄液がノズル２１ａに到達する液量が設定量とされる場合は、ノズル２１ａに洗浄液を検出可能な検出センサー（例えば光センサーなど）を液体噴射ヘッド２１に備え、洗浄液が到達したか否かを検出センサーで検出するようにしてもよい。すなわち、制御部６０は、例えば洗浄液が液体噴射ヘッド２１に到達したことを示す検出信号が検出センサーから出力された場合、制御部６０はこの出力された検出信号に基づいてノズルから液体が設定量排出されたか否かを判定する。
【００８２】
・上記実施形態の洗浄動作において、逆止弁２３の上流側に接続される液体の供給源を、制御部６０から出力される制御信号による切換弁３６の弁体３６ａの切換動作によって、インクカートリッジ１５と洗浄液カートリッジ３５との間で切り換えることとしたが、これに限るものでないことは勿論である。例えば、プリンター１１の使用者が、カートリッジホルダー１４において、インクカートリッジ１５を抜取って洗浄液カートリッジ３５を装着したり、逆に、洗浄液カートリッジ３５を抜取ってインクカートリッジ１５を装着したりしてもよい。この場合は、切換弁３６が不要であるとともに、図３に示した処理フローにおけるステップＳ２およびステップＳ１２の処理については、制御部６０は、使用者によってこれらの処理が完了したか否かを検出して判定する処理とすればよい。
【００８３】
・上記実施形態での洗浄動作におけるステップＳ７の処理は、必ずしも実施されなくてもよい。例えば、混合液が循環流路ＪＦ側から下流側へ流れる際に流路部位３１ｂに発生する沈殿物が洗い流される場合は、キャリッジ２０を往復移動させる必要はない。
【００８４】
・上記実施形態において、チューブポンプ４０は、液体噴射ヘッド２１にインクを供給する際にインク供給チューブ３１を流れるインクの流れ方向と同じ方向に、洗浄液をインクとともに循環流路ＪＦ内において流動させるように動作してもよい。沈殿物３８が混合液中に拡散される場合は、循環流路ＪＦにおいて必ずしも洗浄液を逆方向に流動させる必要はない。
【００８５】
・上記実施形態において、チューブポンプ４０は、インクのみを循環流路ＪＦ内で流動させる際のインクの流速と同じ流速で、循環流路ＪＦに流入した洗浄液をインクとともに循環流路ＪＦ内で流動させるようにしてもよい。例えば、沈殿物の拡散性が洗浄液とインクとで差異が小さい場合は、同じ流速でも差し支えない。
【００８６】
・上記実施形態において、沈殿物を拡散させる洗浄液を速い速度で流動させる循環流路ＪＦの構成は、他の構成であってもよい。洗浄液が速い速度で循環流動されるとともに、液体の供給源側へは洗浄液（混合液）が逆流しない構成、すなわち逆止弁２３の上流側へは洗浄液やインクおよびそれらの混合液が流入しない構成の液体流路であれば、循環流路ＪＦの構成としてもよい。以下、循環流路ＪＦの構成の変形例について、図５（ａ），（ｂ）および図６，７を参照して説明する。なお、図５（ａ），（ｂ）、図６、図７では、各液体流路や弁などの構成要素について、上記実施形態と同じ構成要素については同符号が付されるとともに、それぞれ簡略化（記号化）されて図示されている。
【００８７】
図５（ａ）に示すように、循環流路ＪＦの変形例として、インク供給チューブ３１において液体貯留部５０を備えない構成としてもよい。例えば、チューブポンプ４０の動作に伴う脈動が図中破線矢印Ｆｋで示す液体（混合液）の流動時に発生する状態であっても、循環流路ＪＦを流れる混合液によって上記実施形態と同様に沈殿物の拡散を行うことができる場合は、このように液体貯留部５０を必ずしも備えなくてもよい。
【００８８】
あるいは、図５（ｂ）に示すように、上記実施形態の循環流路ＪＦにおいて、液体貯留部５０に換えて、液体貯留部５０よりも多くの液体を収容するサブタンクＴｓを備えた構成としてもよい。この場合は、逆止弁２３の上流側から流入する洗浄液あるいはインクは、上流側と下流側とに分割されたインク供給チューブ３１のうちの上流側インク供給チューブ３１Ａを介して、図中実線矢印Ｆｓで示すようにその一端が挿入されたサブタンクＴｓに収容される。そして、サブタンクＴｓからは、その一端が挿入された下流側インク供給チューブ３１Ｂを介して液体噴射ヘッド２１へインクが供給される。
【００８９】
従って、インク循環チューブ３２は、上流側インク供給チューブ３１Ａに対して接続部Ｃ１によりその一端が、下流側インク供給チューブ３１Ｂに対して接続部Ｃ２によりその他端が、それぞれ接続されて形成される。この結果、循環流路ＪＦは、サブタンクＴｓと、上流側インク供給チューブ３１Ａおよび下流側インク供給チューブ３１Ｂと、インク循環チューブ３２と、によって形成される。この結果、チューブポンプ４０の動作に伴って、図中破線矢印Ｆｋで示すように、サブタンクＴｓに収容された洗浄液やインク、またはそれらの混合液を、それぞれ一端が挿入された上流側インク供給チューブ３１Ａと下流側インク供給チューブ３１Ｂ、およびインク循環チューブ３２によって、サブタンクＴｓを介して循環流動させることができる。
【００９０】
また、図６に示すように、循環流路ＪＦの他の変形例として、一端がサブタンクＴｓ内に挿入されるとともに他端が圧力制御弁２４に接続された下流側インク供給チューブ３１Ｂに対して、一端がサブタンクＴｓに挿入されたインク循環チューブ３２の他端が接続部Ｃ２によって下流側インク供給チューブ３１Ｂと接続された構成としてもよい。すなわち、循環流路ＪＦは、上流側インク供給チューブ３１Ａから流入するインクまたは洗浄液を収容するサブタンクＴｓと、サブタンクＴｓから図中実線矢印Ｆｓで示すように液体噴射ヘッド２１へインクを供給する下流側インク供給チューブ３１Ｂ、およびインク循環チューブ３２とによって形成される。この結果、インク循環チューブ３２に設けられたチューブポンプ４０の動作に伴って、図中破線矢印Ｆｋで示すように、サブタンクＴｓに収容された洗浄液やインク、またはそれらの混合液を、サブタンクＴｓを介して循環流動させることができる。なお、本変形例では、上流側インク供給チューブ３１Ａと、サブタンクＴｓと、下流側インク供給チューブ３１Ｂとが、第１の液体流路に相当し、サブタンクＴｓが上記実施形態における接続部Ｃ１に相当する。
【００９１】
あるいは、図７に示すように、循環流路ＪＦの他の変形例として、インク供給チューブ３１に対して、キャリッジ２０の内部において接続部Ｃ１，Ｃ２によってインク循環チューブ３２が接続された構成としてもよい。すなわち、循環流路ＪＦは、インク供給チューブ３１、およびインク循環チューブ３２によって形成される。この結果、インク循環チューブ３２に設けられたチューブポンプ４０の動作に伴って、図中破線矢印Ｆｋで示すように、液体噴射ヘッド２１に供給されるインクの流れ方向（図中実線矢印Ｆｓ）とは反対方向に、洗浄液やインク、またはそれらの混合液を循環流動させることができる。
【００９２】
・上記実施形態において、循環流路ＪＦには液体貯留部５０が複数設けられていてもよい。また、上記変形例において、図５（ｂ）、図６、図７にそれぞれ示された循環流路ＪＦには、液体貯留部５０が１つ以上設けられていてもよい。なお、循環流路ＪＦに液体貯留部５０が複数設けられる場合、インク供給チューブ３１およびインク循環チューブ３２の双方に設けられてもよい。
【００９３】
・上記実施形態において、循環ポンプは必ずしもチューブポンプ４０に限るものでない。例えば、ダイヤフラムと２つの逆止弁とを用いたダイヤフラムポンプが循環ポンプであってもよい。
【００９４】
・上記実施形態において、液体貯留部５０は、変位板５３を周囲が密閉固定されたダイヤフラムで形成されていてもよい。この場合、加圧部５４として空気を媒体としてダイヤフラムが直接加圧されたり、加圧板を介して加圧されたりしてもよい。
【００９５】
・上記実施形態において、インクカートリッジ１５は４つに限るものでなく、４つよりも多くても、あるいは少なくても差し支えない。また、プリンター１１において、液体噴射ヘッド２１は必ずしも走査方向に移動せず、固定された位置で用紙Ｓに対してインクを噴射する構成であってもよい。
【００９６】
・上記実施形態において、液体噴射装置は、インク以外の他の液体を噴射したり吐出したりする液体噴射装置であってもよい。なお、液体噴射装置から微小量の液滴となって吐出される液体の状態としては、粒状、涙状、糸状に尾を引くものも含むものとする。また、ここでいう液体は、液体噴射装置から噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体を含むものとする。また、物質の一状態としての液体のみならず、顔料や金属粒子などの固形物からなる機能材料の粒子が溶媒に溶解、分散又は混合されたものなども含むものとする。液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば、液晶ディスプレイ、ＥＬ（エレクトロルミネッセンス）ディスプレイ、面発光ディスプレイ、カラーフィルターの製造等に用いられる電極材や色材等の材料を分散又は溶解のかたちで含む液体を噴射する液体噴射装置がある。また、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置であってもよい。また、基板などをエッチングするために酸又はアルカリ等のエッチング液を噴射する液体噴射装置であってもよい。
【符号の説明】
【００９７】
１１…液体噴射装置の一例としてのプリンター、２１…液体噴射ヘッド、２１ａ…ノズル、２３…逆止弁、２４…圧力制御弁、２７…液体吸引機構、４０…循環ポンプとしてのチューブポンプ、５０…液体貯留部、ＪＦ…循環流路。
【図１】
0006003209.tif 000002
【図２】
0006003209.tif 000003
【図３】
0006003209.tif 000004
【図４】
0006003209.tif 000005
【図５】
0006003209.tif 000006
【図６】
0006003209.tif 000007
【図７】
0006003209.tif 000008